(57)【要約】【課題】異なる系統の配線ルートを明確に区別した状態で限られたスペース内に配線を確実に保持し且つ保護することが可能な遊技機を提供する。【解決手段】複数系統の配線ルート、例えば２系統のアース線が所定区間で並行するように配設された遊技機で、合成樹脂により形成された配線溝８７を有する合成樹脂製の溝蓋部材８８と、この配線溝８７を略閉鎖するように装着された板金部材８９とを備え、配線溝８７内に通された被覆線９０と板金部材８９とで互いに別系統のアース線を構成する。【選択図】図８
2010284296.tif 000002
【特許請求の範囲】
【請求項１】
複数系統の配線ルートが所定区間で並行するように配設された遊技機において、合成樹脂により形成された配線溝（８７）と、この配線溝（８７）を略閉鎖するように装着された板金部材（８９）とを備え、前記配線溝（８７）内に通された被覆線（９０）と前記板金部材（８９）とが互いに別系統の前記配線ルートを構成していることを特徴とする遊技機。
【請求項２】
前記板金部材（８９）は、前記配線溝（８７）を略閉鎖する溝蓋部（８９ａ）とその一側に設けられた側板部（８９ｂ）とを断面略Ｌ字型となるように一体に備えていることを特徴とする請求項１に記載の遊技機。
【請求項３】
前記配線溝（８７）とは別の第１配線溝（８４）と、この第１配線溝（８４）を略閉鎖するように着脱自在に装着される溝蓋部材（８８）とを備え、この溝蓋部材（８８）上に前記配線溝（８７）が設けられており、前記第１配線溝（８４）内に通された配線（８６）が前記被覆線（９０）及び前記板金部材（８９）とは異なる系統の前記配線ルートを構成していることを特徴とする請求項１又は２に記載の遊技機。
【請求項４】
矩形状の外枠（２）と、この外枠（２）の前側に左右方向一端側のヒンジ（１０）により開閉自在に枢支された内枠（３）とを備え、前記内枠（３）は、前記外枠（２）内に前側から嵌合する嵌合部（５）を備え、該嵌合部（５）の前記ヒンジ（１０）側の側面に沿って前記第１配線溝（８４）を一体に形成し、その第１配線溝（８４）の後側に前記溝蓋部材（８８）及び前記板金部材（８９）を着脱自在に装着したことを特徴とする請求項３に記載の遊技機。
【請求項５】
遊技盤（９）を前側から装着可能な遊技盤装着枠（８）を前記嵌合部（５）の前部側に備え、前記遊技盤装着枠（８）の後側に前記第１配線溝（８４）を設けたことを特徴とする請求項４に記載の遊技機。
【請求項６】
前記溝蓋部材（８８）は、前記第１配線溝（８４）とこれに固定された前記板金部材（８９）との間で挟持されていることを特徴とする請求項３〜５の何れかに記載の遊技機。
【請求項７】
前記被覆線（９０）と前記板金部材（８９）とが互いに別系統のアース線を構成していることを特徴とする請求項１〜６の何れかに記載の遊技機。
【請求項８】
前記別系統のアース線が、遊技球と導通不可能な第１アース線（９０）と、遊技球と導通可能な第２アース線（８９）であることを特徴とする請求項７に記載の遊技機。
【発明の詳細な説明】
【技術分野】
【０００１】
本発明は、複数系統の配線ルートが所定区間で並行するように配設された遊技機に関するものである。
【背景技術】
【０００２】
各種遊技機のうち、例えばパチンコ機では、矩形状の外枠と、この外枠の前側に左右方向一端側のヒンジにより開閉自在に枢支された内枠とを備え、遊技盤や発射手段の他、スピーカやランプ等の演出手段、各種制御基板等の主要構成部分は内枠側に搭載されている。また、最近ではランプ等の演出手段が内枠側の各所に多数配置されており、制御基板も種類毎に分割されて多数配置されていることから、内枠の裏側にはそれらを電気的に接続するためのハーネスが複雑に張り巡らされている。
【０００３】
また、それらハーネス以外にも、遊技球通路上や制御基板の近傍、その他の内枠各所に設けられた金属部分を接続するようにアース線が張られており、更にそのアース線も、例えば遊技球と導通する金属部分は、ノイズの影響を受けやすい制御基板関係の金属板とは別系統とする等、複数系統設けられる場合もある。
【０００４】
このように、内枠の裏側には、ハーネスやアース線などの多数の配線が張り巡らされており、特に内枠の外周側については、僅かなスペースに多くのハーネス等を配設する必要があるため、ハーネスの一部が内枠開閉時に内枠と外枠との間に挟まれて断線等の不具合が発生する可能性がある。そこで、特許文献１に記載のパチンコ機では、ハーネスを覆うハーネスカバーを内枠の背面側に装着することにより、ハーネスを所定位置に拘束して挟み込みによる断線等の不具合を防止している。
【先行技術文献】
【特許文献】
【０００５】
【特許文献１】特開２００４−２７５５８７号公報
【発明の概要】
【発明が解決しようとする課題】
【０００６】
特許文献１に記載のパチンコ機では、１つのハーネスカバーにより一系統のハーネスのみをカバーしているが、複数系統のハーネスが並行する区間にこのハーネスカバーを設ける場合、ハーネスカバー内に複数系統のハーネス等が混在することとなって紛らわしく、また多くの配線を１つの通路内に詰め込む必要があるため組み立て時等の配線作業が非常に煩わしくなる問題がある。しかも、このハーネスカバーを取り付けることによって配線のためのスペースが更に圧迫されてしまうという問題もある。
【０００７】
本発明は上記事情に鑑みてなされたものであり、異なる系統の配線ルートを明確に区別した状態で限られたスペース内に配線を確実に保持し且つ保護することが可能な遊技機を提供することを目的とする。
【課題を解決するための手段】
【０００８】
本発明は、複数系統の配線ルートが所定区間で並行するように配設された遊技機において、合成樹脂により形成された配線溝８７と、この配線溝８７を略閉鎖するように装着された板金部材８９とを備え、前記配線溝８７内に通された被覆線９０と前記板金部材８９とが互いに別系統の前記配線ルートを構成しているものである。
【発明の効果】
【０００９】
本発明によれば、被覆線９０を配線溝８７内に確実に収容することができ、またその配線溝８７を略閉鎖する板金部材８９自体が別系統の配線を構成することにより、それら異なる系統の配線を明確に区別することができると共に配線のためのスペースを圧迫することもなく、異なる系統の配線ルートを明確に区別した状態で限られたスペース内に配線を確実に保持し且つ保護することが可能となる。
【図面の簡単な説明】
【００１０】
【図１】本発明の一実施形態を示すパチンコ機の全体正面図である。
【図２】同じくガラス扉及び前面開閉板を外した状態の正面図である。
【図３】同じく全体背面図である。
【図４】同じく全体平面断面図である。
【図５】同じく内枠の全体斜視図である。
【図６】同じく内枠の要部斜視図である。
【図７】同じく図６における溝蓋部材と板金部材の分解図である。
【図８】同じく内枠の要部平面断面図である。
【図９】同じく内枠の要部側面断面図である。
【図１０】本発明の変更例を示す内枠の要部平面断面図である。
【図１１】本発明の他の変更例を示す内枠の要部平面断面図である。
【発明を実施するための形態】
【００１１】
以下、本発明の実施形態を図面に基づいて詳述する。図１〜図９は本発明をパチンコ機に採用した一実施形態を例示している。図１〜図３において、遊技機本体１は、矩形状の外枠２と、この外枠２の前側に開閉自在に枢着された内枠３とを備えている。
【００１２】
内枠３は、図２，図５等に示すように、外枠２の前縁側に当接する矩形状の枠部４と、この枠部４の内縁側から外枠２の内面側に沿って後ろ向き膨出状に形成された嵌合部５とを備え、非導電性の合成樹脂により例えば一体形成されており、嵌合部５の内側下部に設けられた下部装着部６に発射手段７等が、嵌合部５の内側で且つ下部装着部６の上側に設けられた遊技盤装着枠８に遊技盤９が夫々配置されている。
【００１３】
枠部４は、上下一対の横枠部４ａ，４ｂと、左右一対の縦枠部４ｃ，４ｄとで構成されており、内枠３はその左右一端側、例えば左縦枠部４ｃ側に設けられた上下方向のヒンジ１０により外枠２に枢支されている。
【００１４】
また、内枠３の前側には、図１に示すように下部装着部６に対応する前面開閉板１１と、この前面開閉板１１の上側で遊技盤９の前側に対応するガラス扉１２とがヒンジ１０と同じ側のヒンジ１３により開閉自在に枢支されている。前面開閉板１１には、その前側に、発射手段７に供給するための遊技球を貯留する上皿１４、この上皿１４が満杯となったときにその余剰球を受けて貯留する下皿１５、発射手段７を作動させるための発射ハンドル１６等が設けられている。
【００１５】
ガラス扉１２は、図４に示すように、遊技盤９の遊技領域９ａを透視可能なガラス窓１７の窓孔を有する例えば板金製の扉枠１８と、この扉枠１８の前側に装着された合成樹脂製の化粧カバー１９と、扉枠１８の裏側に装着されたガラスユニット２０とを備え、内枠３側に閉じたとき、扉枠１８の外縁側が上横枠部４ａ及び左右の縦枠部４ｃ，４ｄの前側に略当接すると共に、ガラスユニット２０がその内側に嵌合するようになっている。ガラスユニット２０は、前後二枚のガラス板２１と、この二枚のガラス板２１を外周で保持する合成樹脂製の保持枠２２とで構成されており、扉枠１８の裏側に着脱自在に装着されている。
【００１６】
下部装着部６は、下横枠部４ｂの上側に沿って横長状に形成されており、その前側の例えば左右方向略中央に発射手段７が配置され、前面開閉板１１側の上皿１４からこの発射手段７に発射用の遊技球が供給されるようになっている。発射手段７は、図２に示すように、板金製の支持板３１と、この支持板３１の前面に装着された発射レール３２と、支持板３１の前面で前後方向の駆動軸廻りに揺動自在に支持された打撃槌３３と、支持板３１の裏側に装着され且つ打撃槌３３を打撃方向に駆動するロータリソレノイド等の発射駆動手段３４等を備え、発射ハンドル１６が操作されたときに発射駆動手段３４により打撃槌３３を打撃方向（時計廻り）に間欠的に駆動することにより、上皿１４から発射レール３２上に供給された遊技球を発射レール３２に沿って打撃して遊技盤９側に発射させるようになっている。
【００１７】
また、発射手段７の左側には、後述する払い出し手段７３から払い出された遊技球を前面開閉板１１側の上皿１４に排出すると共に上皿１４が満杯となったときにその余剰球を下皿１５側に案内する分岐通路ユニット３５等が、右側には下部スピーカ３６が夫々配置されている。
【００１８】
遊技盤装着枠８は、嵌合部５の前部側に設けられており、図２，図５等に示すように、嵌合部５を構成する上嵌合部５ａに設けられる上支持枠４１、下部装着部６の上縁側に設けられる下支持枠４２、嵌合部５を構成する左嵌合部５ｃに設けられる左支持枠４３、嵌合部５を構成する右嵌合部５ｄに設けられる右支持枠４４により、前側が遊技盤着脱可能に開放された矩形状に形成されている。
【００１９】
上下左右の支持枠４１〜４４は、夫々上横枠部４ａ、下部装着部６、左縦枠部４ｃ、右縦枠部４ｄの内周側（下部装着部６については上縁側）から後ろ向きに延設された装着枠周壁部４１ａ〜４４ａと、この装着枠周壁部４１ａ〜４４ａの後端側から遊技盤９の背面に沿って内向きに延設された装着枠後壁部４１ｂ〜４４ｂとで断面略Ｌ字型に形成されている。
【００２０】
また、支持枠４１〜４４のうちの一つ、例えば左支持枠４３側には、例えば装着枠周壁部４３ａから遊技盤９の前面側に沿って突設される前面支持部４５と、例えば装着枠後壁部４３ｂ上又はその内周側に配置され且つ遊技盤９の端部（左端部）を前側の前面支持部４５側に付勢する板ばね等よりなる付勢手段４６とが設けられており、遊技盤９の端部  （左縁部）をその外周面側及び前後両面側の三方から挟み込むと共に付勢手段４６により前側、即ち前面支持部４５側に押圧して支持するようになっている。
【００２１】
また、遊技盤装着枠８上又はその近傍には、遊技盤９における前面支持部４５とは反対の端部側に対応して、遊技盤装着枠８に前側から装着された遊技盤９を固定する１又は複数の締結具４７が設けられている。
【００２２】
遊技盤９はベニヤ板等により略矩形状に形成されており、図２に示すように、その前面側には発射手段７からの遊技球を案内するガイドレール５１が設けられ、このガイドレール５１の内側の遊技領域９ａ内に、画像表示手段を備えたセンターケース５２の他、通過ゲート５３、開閉式入賞手段５４、大入賞手段５５、普通入賞手段５６等の各種遊技部品が装着されている。
【００２３】
また遊技盤９の裏面側には、図３に示すように、センターケース５２等の遊技部品を後側から覆う裏ケース５７ａと、その裏ケース５７ａの下側に配置される集球ケース５７ｂとが装着され、例えばその集球ケース５７ｂの背面側に主制御基板５８ａが格納された主基板ケース５８が、裏ケース５７ａの背面側に演出制御基板５９ａが格納された演出基板ケース５９、液晶制御基板６０ａが格納された液晶基板ケース６０等が着脱自在に装着されている。
【００２４】
また、嵌合部５の後部側で遊技盤装着枠８の後側には、図４，図５等に示すように、遊技盤９の後部側を略覆う後部ケース６１が一体に設けられている。後部ケース６１は、遊技盤装着枠８の装着枠後壁部４１ｂ〜４４ｂの内縁側から遊技盤９側の裏ケース５７ａ及び集球ケース５７ｂの外周面に沿って後ろ向きに延設された後部ケース周壁部６２と、裏ケース５７ａ及び集球ケース５７ｂの背面に沿って配置される後部ケース後壁部６３とで構成されている。後部ケース後壁部６３には、その略中央に遊技盤９の裏側の基板ケース５８〜６０等が嵌合する開口部６４が設けられると共に、この開口部６４を後側から開閉可能に覆う開閉カバー６５（図３及び図５）が着脱自在に装着されている。
【００２５】
図３に示すように、嵌合部５の後側には開口部６４の上側に遊技球タンク７１とタンクレール７２とが配置され、開口部６４の左右一側、例えばヒンジ１０側には、後部ケース後壁部６３の背面側に払い出し手段７３と払い出し通路７４とが装着されており、遊技球が大入賞手段５５等の入賞口に入賞したとき、又は図外の自動球貸し機から球貸し指令があったときに、遊技球タンク７１内の遊技球をタンクレール７２を経て払い出し手段７３により払い出し、その遊技球を払い出し通路７４、分岐通路ユニット３５（図２）を経て上皿１４に排出するようになっている。
【００２６】
また、開口部６４の後側には、その左右方向一側、例えばヒンジ１０と反対側に、１又は複数のコネクタ７５が略前向きに配置されたコネクタケース７６が装着されており、遊技盤９が遊技盤装着枠８に前側から装着されたとき、遊技盤９の裏側に後ろ向きに設けられた遊技盤側コネクタ（図示省略）がこのコネクタ７５に接続されるようになっている。
【００２７】
また、後部ケース６１の下側で且つ下部装着部６の背面側には、基板装着台８１が着脱自在に装着されており、この基板装着台８１の背面側に、例えば電源基板８２ａが格納された電源基板ケース８２と、払い出し制御基板８３ａが格納された払い出し基板ケース８３とが着脱自在に装着されている。
【００２８】
嵌合部５のヒンジ１０側の側面、即ち左嵌合部５ｃの外面側には、図６〜図９等に示すように、遊技盤装着枠８の後側で且つ後部ケース６１の側方に沿って第１配線溝８４が一体に設けられている。この第１配線溝８４は、遊技盤装着枠８を構成する装着枠後壁部４３ｂと、後部ケース６１を構成する後部ケース周壁部６２と、装着枠周壁部４３ａの後端側から後ろ向きに延設された第１側壁部８５とで後ろ向きに開放する断面略コの字型に形成され、例えば左嵌合部５ｃの上部側から下部側にかけて設けられており、その内部には図８，図９に示すように所定のハーネス（配線）８６が収容されている。
【００２９】
第１配線溝８４の後側には、第１配線溝８４を略閉鎖すると共にその第１配線溝８４の後側に第２配線溝（配線溝）８７を形成する溝蓋部材８８と、この溝蓋部材８８を略閉鎖する板金部材８９とが着脱自在に装着されている。なお、板金部材８９は内枠３に対して直接的に固定され、溝蓋部材８８は第１配線溝８４と板金部材８９とで挟持されることにより内枠３に固定されている。
【００３０】
溝蓋部材８８は、非導電性の合成樹脂製で、第１配線溝８４と略同じ幅に形成された縦長板状の蓋板部８８ａと、この蓋板部８８ａにおける外側、即ち第１側壁部８５側の縁部に沿って後ろ向きに突設された第２側壁部８８ｂとで断面略Ｌ字型に形成されており、第１側壁部８５の後縁部と後部ケース周壁部６２との間の開口部を蓋板部８８ａで後側から略閉鎖し、第２側壁部８８ｂが第１側壁部８５と同一平面をなすように第１配線溝８４の後側に装着されている。
【００３１】
このように、第１配線溝８４はハーネス８６を収容した状態で溝蓋部材８８により略閉鎖されるため、ハーネス８６が第１配線溝８４からはみ出すことがなく、ハーネス８６が外枠２と内枠３との間に挟まれて断線する等の不具合を防止できる。
【００３２】
また、溝蓋部材８８が第１配線溝８４の後側に装着されることにより、この溝蓋部材８８の蓋板部８８ａ及び第２側壁部８８ｂと、後部ケース６１を構成する後部ケース周壁部６２とにより、後ろ向きに開放する断面略コの字型の第２配線溝８７が形成されている。この第２配線溝８７内には、図８，図９に示すように被覆線よりなる第１アース線９０が収容されている。第１アース線９０は、例えば遊技球と導通不可能となっており、主として主制御基板５８ａ等の制御基板の近傍に配置された金属板等が接続されている。
【００３３】
なお、溝蓋部材８８における後部ケース周壁部６２側の縁部は、第１配線溝８４内に設けられた支持リブ９１に後側から当接することにより支持されている。支持リブ９１は、例えば後部ケース周壁部６２から第１配線溝８４内に向けて突設されており、第１配線溝８４の長手方向の複数箇所に配置されている。
【００３４】
更に、第１配線溝８４内には、その長手方向の複数箇所に、板金部材８９をねじ止め固定するための第１ねじ止め基部９２が設けられている。この第１ねじ止め基部９２は、例えば第１側壁部８５の内面側に沿って後ろ向きに設けられ、その後端側は第１側壁部８５の後縁部よりも後方に突出しており、溝蓋部材８８を第１配線溝８４の後側に装着したとき、この第１ねじ止め基部９２が、溝蓋部材８８の縁部に設けられた嵌合部９３に嵌合するようになっている。
【００３５】
なお、嵌合部９３は、溝蓋部材８８の縁部から蓋板部８８ａの内側に向けて凹入する切欠状に形成され、第２側壁部８８ｂはその嵌合部９３の部分ではその嵌合部９３に沿うように屈曲状に形成されており、第２側壁部８８ｂの後端面と第１ねじ止め基部９２の後端面とが略面一となっている。
【００３６】
板金部材８９は、溝蓋部材８８と略同じ幅に形成された縦長板状の溝蓋部８９ａと、この溝蓋部８９ａの一側に設けられた側板部８９ｂとを断面略Ｌ字型となるように一体に備えており、溝蓋部８９ａで第２配線溝８７を後側から略閉鎖し、側板部８９ｂを後部ケース周壁部６２に沿わせた状態で、溝蓋部８９ａを第１ねじ止め基部９２にねじ止めし、また例えば側板部８９ｂの後端側から後部ケース後壁部６３に沿って一体に設けられた固定フランジ９４を後部ケース後壁部６３側の第２ねじ止め基部９５にねじ止めすることにより内枠３に着脱自在に固定されている。これにより、溝蓋部材８８は、第１配線溝８４と板金部材８９の溝蓋部８９ａとで前後に挟持され、内枠３に固定される。
【００３７】
このように、第２配線溝８７は第１アース線９０を収容した状態で板金部材８９により略閉鎖されるため、第１アース線９０が第２配線溝８７からはみ出すことがなく、第１アース線９０が外枠２と内枠３との間に挟まれて断線する等の不具合を防止できる。
【００３８】
また、この板金部材８９は、それ自体が、第２配線溝８７内に収容される第１アース線９０とは別系統の第２アース線を構成している。この板金部材８９による第２アース線には、例えば遊技球と導通可能な遊技球通路上の金属板等が接続されており、この第２アース線を第１アース線９０とは別系統とすることにより、遊技球に溜まった静電気が制御基板等に悪影響を与えることを防止している。
【００３９】
以上説明したように、本実施形態のパチンコ機では、合成樹脂により形成された第２配線溝８７と、この第２配線溝８７を略閉鎖するように装着された板金部材８９とを備え、第２配線溝８７内に通された被覆線９０と板金部材８９とが互いに別系統の配線ルートを構成しているため、被覆線９０を第２配線溝８７内に確実に収容することができ、またその第２配線溝８７を略閉鎖する板金部材８９自体が別系統の配線を構成することにより、それら異なる系統の配線を明確に区別することができると共に配線のためのスペースを圧迫することもなく、異なる系統の配線ルートを明確に区別した状態で限られたスペース内に配線を確実に保持し且つ保護することが可能となる。
【００４０】
また、板金部材８９は、第２配線溝８７を略閉鎖する溝蓋部８９ａとその一側に設けられた側板部８９ｂとを断面略Ｌ字型となるように一体に備えているため、内枠３の補強部材としても有効に機能させることができる。
【００４１】
また、第２配線溝８７とは別の第１配線溝８４を略閉鎖する溝蓋部材８８上に第２配線溝８７を設け、この第１配線溝８４内に、被覆線９０及び板金部材８９とは異なる系統の
ハーネス８６を収容しているため、更に異なる１系統の配線を明確に区別した状態で限られたスペース内に確実に保持し且つ保護することが可能となる。
【００４２】
矩形状の外枠２と、この外枠２の前側に左右方向一端側のヒンジ１０により開閉自在に枢支された内枠３とを備え、この内枠３は、外枠２内に前側から嵌合する嵌合部５を備え、この嵌合部５のヒンジ１０側の側面で且つ遊技盤装着枠８の後側に第１配線溝８４を一体に形成し、その第１配線溝８４の後側に溝蓋部材８８及び板金部材８９を着脱自在に装着しているため、遊技盤装着枠８の後側のデッドスペースを有効に活用できる。
【００４３】
溝蓋部材８８は、第１配線溝８４とこれに固定された板金部材８９との間で挟持されているため、組み立て作業も極めて容易である。
【００４４】
また、被覆線９０と板金部材８９とが互いに別系統のアース線、例えば遊技球と導通可能な第１アース線と、遊技球と導通不可能な第２アース線とを構成しているため、遊技球に溜まった静電気が制御基板等に悪影響を与えることを防止できる。
【００４５】
以上、本発明の実施形態について詳述したが、本発明はこれらの実施形態に限定されるものではなく、本発明の趣旨を逸脱しない範囲で種々の変更が可能である。例えば、実施形態では第１配線溝８４と第２配線溝８７の２系統の配線溝を板金部材８９と並行するように設けた例を示したが、板金部材８９と並行する配線溝は１つであってもよいし３以上であってもよい。
【００４６】
並行する配線溝を１つとする場合には、図１０に示すように例えば実施形態における溝蓋部材８８を削除して第１配線溝８４を板金部材８９で略閉鎖するように構成すればよい。また、並行する配線溝を３以上とする場合には、図１１に示すように例えば実施形態における溝蓋部材８８を２以上重ねて配置すればよい。
【００４７】
第１配線溝８４、溝蓋部材８８、板金部材８９等は、内枠３における開閉端側に配置してもよいし、内枠３における上縁側、下縁側等に左右方向に配置してもよい。また溝蓋部材８８と板金部材８９とは内枠３に対して個別に固定してもよい。
【００４８】
第１，第２配線溝８４，８７内及び板金部材８９による複数系統の配線ルートは、どのような種類であってもよい。例えば、板金部材８９により唯一のアース線を構成し、第１，第２配線溝８４，８７内には他のハーネスを夫々収容してもよいし、第１，第２配線溝８４，８７内に板金部材８９のアース線とは異なる系統のアース線を夫々収容してもよい。
【００４９】
また本発明は、パチンコ機に限らず、アレンジボール機、スロットマシン等の各種遊技機においても同様に実施することが可能である。
【符号の説明】
【００５０】
２    外枠
３    内枠
５    嵌合部
８    遊技盤装着枠
９    遊技盤
１０    ヒンジ
８４    第１配線溝
８６    ハーネス（配線）
８７    第２配線溝（配線溝）
８８    溝蓋部材
８９    板金部材（第２アース線）
８９ａ  溝蓋部
８９ｂ  側板部
９０    被覆線（第１アース線）
【図１】
2010284296.tif 000003
【図２】
2010284296.tif 000004
【図３】
2010284296.tif 000005
【図４】
2010284296.tif 000006
【図５】
2010284296.tif 000007
【図６】
2010284296.tif 000008
【図７】
2010284296.tif 000009
【図８】
2010284296.tif 000010
【図９】
2010284296.tif 000011
【図１０】
2010284296.tif 000012
【図１１】
2010284296.tif 000013